(57)【要約】【課題】通話品質の改善を支援することが可能なナースコールシステムを提供する。【解決手段】ナースコール子機２と、ナースコール親機４と、医療従事者が携帯する携帯端末５と、ナースコール子機２、ナースコール親機４、および携帯端末５の間の通信を制御する制御部６とを備え、携帯端末５は、外部の公衆回線網を介して携帯端末５とナースコール子機２とを通話可能に接続する第一通話モードと、病院内に構築されたローカル通信網を介して携帯端末５とナースコール子機２とを通話可能に接続する第二通話モードとが選択可能である。【選択図】図１
2018033592.tif 000002
【特許請求の範囲】
【請求項１】
ナースコール子機と、
ナースコール親機と、
医療従事者が携帯する携帯端末と、
前記ナースコール子機、前記ナースコール親機、および前記携帯端末の間の通信を制御する制御部と、
を備え、
前記携帯端末は、
外部の公衆回線網を介して前記携帯端末と前記ナースコール子機とを通話可能に接続する第一通話モードと、
病院内に構築されたローカル通信網を介して前記携帯端末と前記ナースコール子機とを通話可能に接続する第二通話モードと、
が選択可能である、
ナースコールシステム。
【請求項２】
前記制御部は、
前記ナースコール子機から呼び出されたことを示す着信画面を生成する生成部と、
前記着信画面が記録された記録部と、
前記記録部に記録された前記着信画面に接続するための接続先情報を前記携帯端末に向けて送信する送信部と、
を有する、
請求項１に記載のナースコールシステム。
【請求項３】
前記着信画面は、
前記第一通話モードを選択可能な第一操作部と、
前記第二通話モードを選択可能な第二操作部と、
を有する、
請求項２に記載のナースコールシステム。
【請求項４】
前記着信画面は、前記ナースコール子機を用いて呼出信号を発した患者を特定可能な患者特定情報が表示される患者表示部を含む、
請求項２または請求項３に記載のナースコールシステム。
【請求項５】
前記着信画面は、
前記公衆回線網の電波状況を表示する第一電波表示部と、
前記ローカル通信網の電波状況を表示する第二電波表示部と、
を含む、
請求項２から請求項４のいずれか一項に記載のナースコールシステム。
【請求項６】
前記制御部は、ナースコール制御機と、サーバと、で構成され、
前記ナースコール制御機は、前記ナースコール子機、前記ナースコール親機、および前記携帯端末の間の通信を制御する機能を有し、
前記サーバは、前記生成部と前記記録部と前記送信部とを有する、
請求項２から請求項５のいずれか一項に記載のナースコールシステム。
【発明の詳細な説明】
【技術分野】
【０００１】
本発明は、患者等が医療従事者を呼び出すためのナースコールシステムに関するものである。
【背景技術】
【０００２】
従来、入院患者が、その患者自身が利用するベッドに設置されたナースコール子機を用いて、ナースステーションに設置されたナースコール親機や担当の医療従事者（医師や看護師等）が携帯する携帯端末を呼び出すことが可能なナースコールシステムがある。
【０００３】
このような従来のナースコールシステムの構成では、病院内に、例えばWiFi等の通信技術を利用したローカル通信網が構築されている。ナースコール子機からの呼出信号は、交換機及びローカル通信網を介して、呼出先の医療従事者が携帯する携帯端末に通知され、携帯端末側で着信を許可した後に、患者と医療従事者間で通話が可能となる。
【先行技術文献】
【特許文献】
【０００４】
【特許文献１】特開２００７−２０２７１２号公報
【発明の概要】
【発明が解決しようとする課題】
【０００５】
しかしながら、上記の従来のナースコールシステムの構成において、交換機及びローカル通信網を介して成立する通話環境は、携帯端末の電波状況によっては通話が途切れる場合があり、通話品質に改善の余地があった。
【０００６】
そこで、本発明は、通話品質の改善を支援することが可能なナースコールシステムを提供することを目的とする。
【課題を解決するための手段】
【０００７】
上記目的を達成するために、本発明のナースコールシステムは、
ナースコール子機と、
ナースコール親機と、
医療従事者が携帯する携帯端末と、
前記ナースコール子機、前記ナースコール親機、および前記携帯端末の間の通信を制御する制御部と、
を備え、
前記携帯端末は、
外部の公衆回線網を介して前記携帯端末と前記ナースコール子機とを通話可能に接続する第一通話モードと、
病院内に構築されたローカル通信網を介して前記携帯端末と前記ナースコール子機とを通話可能に接続する第二通話モードと、
が選択可能である。
【０００８】
この構成によれば、携帯端末では、外部の公衆回線網を介して携帯端末とナースコール子機とを通話可能に接続する第一通話モードと、病院内に構築されたローカル通信網を介して携帯端末とナースコール子機とを通話可能に接続する第二通話モードと、が選択可能である。このため、医療従事者は、例えば、自身が携帯する携帯端末の公衆回線網の電波状況が良好な場合には、高い通話品質が確保された第一通話モードが自動的に選択されるように設定したり、または、自身の選択操作により、第一通話モードを選択することができる。このように、上記構成によれば、通話品質の改善を支援することが可能なナースコールシステムを提供することができる。
【０００９】
また、本発明のナースコールシステムにおいて、
前記制御部は、
前記ナースコール子機から呼び出されたことを示す着信画面を生成する生成部と、
前記着信画面が記録された記録部と、
前記記録部に記録された前記着信画面に接続するための接続先情報を前記携帯端末に向けて送信する送信部と、
を有しても良い。
【００１０】
この構成によれば、患者がナースコール子機に対して呼出操作をした場合、医療従事者が携帯する携帯端末に着信画面を表示させることが可能となる。
【００１１】
また、本発明のナースコールシステムにおいて、
前記着信画面は、
前記第一通話モードを選択可能な第一操作部と、
前記第二通話モードを選択可能な第二操作部と、
を有しても良い。
【００１２】
この構成によれば、医療従事者は、自身が携帯する携帯端末の電波状況に応じて、自身の選択操作により、外部の公衆回線網を利用して高い通話品質が確保された第一通話モードや、病院内に構築されたローカル通信網を利用する第二通話モードを選択することができる。
【００１３】
また、本発明のナースコールシステムにおいて、
前記着信画面は、前記ナースコール子機を用いて呼出信号を発した患者を特定可能な患者特定情報が表示される患者表示部を含んでも良い。
【００１４】
従来、外部の公衆回線網を経由して着信時に表示される着信画面には、ナースコールシステム内で管理される患者情報を表示させることはできなかった。しかし、上記構成によれば、着信画面は、病院内に構築されたローカル通信網を介して表示される。このため、病院内に設置された制御部等で管理される患者情報を用いて患者表示部を作成し、その患者表示部を着信画面内に含めることができる。このため、医療従事者は、着信画面を見て、呼出元の患者の情報を確認した上で、着信に応答することができる。
【００１５】
また、本発明のナースコールシステムにおいて、
前記着信画面は、
前記公衆回線網の電波状況を表示する第一電波表示部と、
前記ローカル通信網の電波状況を表示する第二電波表示部と、
を含んでも良い。
【００１６】
この構成によれば、医療従事者は、公衆回線網の電波状況とローカル通信網の電波状況とを考慮して、通話機能を選択することができる。
【００１７】
また、本発明のナースコールシステムにおいて、
前記制御部は、ナースコール制御機と、サーバと、で構成され、
前記ナースコール制御機は、前記ナースコール子機、前記ナースコール親機、および前記携帯端末の間の通信を制御する機能を有し、
前記サーバは、前記生成部と前記記録部と前記送信部とを有しても良い。
【００１８】
この構成によれば、ナースコール子機、ナースコール親機、および携帯端末の間の通信を制御する機能を有するナースコール制御機とは別のハードウェア（サーバ）に、上記の生成部と記録部と送信部とが設けられている。このため、サーバに設ける機能の設計自由度が向上する。例えば、着信画面を送信する先の携帯端末の台数について、既存のナースコール制御機の制約を受けずに多くの台数を設定することができる。
【発明の効果】
【００１９】
本発明によれば、通話品質の改善を支援することが可能なナースコールシステムを提供することができる。
【図面の簡単な説明】
【００２０】
【図１】本発明の実施形態に係るナースコールシステムの構成図である。
【図２】ナースコール制御機のブロック図である。
【図３】ポップアップサーバのブロック図である。
【図４】ナースコールシステムの動作を説明するための図である。
【図５】ナースコールシステムの動作を説明するための図である。
【発明を実施するための形態】
【００２１】
以下、本実施形態に係るナースコールシステムの一例について、図面を参照して説明する。
図１に示すように、ナースコールシステム１は、ナースコール子機２と、廊下灯３と、ナースコール親機４と、携帯端末５と、制御部６と、電話交換機７と、公衆用基地局８（８ａ，８ｂ）と、ローカル用基地局９とを備えている。
【００２２】
ナースコール子機２は、病室毎に伝送線Ｌ１を介して廊下灯３に接続されている。公衆用基地局８ａは伝送線Ｌ２を介して電話交換機７に接続されており、ローカル用基地局９は伝送線Ｌ３を介して電話交換機７に接続されている。これらの各部は、ＬＡＮ（Local Area Network）１０を介して通信可能に接続されるとともに、必要に応じてハブ（ＨＵＢ）１５により分配されて接続されている。
【００２３】
ナースコール子機２は、病室内の病床（ベッド）毎に設置されており、プレート子機２１と、プレート子機２１に着脱可能な握り子機２２とを備えている。プレート子機２１は、医療従事者を呼び出すための呼出ボタンと、通話するためのマイク及びスピーカとを有する。握り子機２２は、医療従事者を呼び出すための呼出ボタンを有する。
【００２４】
廊下灯３は、各病室の出入口付近に設置されており、ナースコール子機２を操作した患者の氏名、ベッド番号等の患者情報を表示する液晶表示部３１と、ナースコール子機２から呼び出しが発せられたことを報知する表示ランプ３２とを備えている。患者の氏名、病室番号、ベッド番号等の情報は、ナースコール子機２の子機ＩＤと対応付けて廊下灯３の記憶部（図示省略）に記憶されている。廊下灯３は、ナースコール子機２から送出された呼出信号をＬＡＮ１０を介して制御部６に送信する。
【００２５】
ナースコール親機４は、ナースステーション等の病院内共用部に設置されており、ナースコール子機２からの呼び出しを報知する機能、呼び出しに応答する機能を有する。ナースコール親機４は、呼び出しに応答するためのハンドセット４１と、患者情報が表示される小型モニタ４２と、各患者の詳細情報が一覧表示される大型モニタ４３とを備えている。各モニタ４２，４３は、例えばタッチパネル画面で構成されており、操作部としても機能する。
【００２６】
携帯端末５は、医療従事者（例えば看護師、医師等）が業務に使用するために携帯する端末である。携帯端末５としては、タッチパネル式の画面５１を備えるとともに、「3G/LTE」と「WiFi」の両方の通信方式を備える例えばスマートフォン等が用いられる。携帯端末５は、ＬＡＮ１０上で用いられる個別の携帯番号（携帯ＩＤ）を有する。
【００２７】
携帯端末５は、外部の公衆回線網を介して携帯端末５とナースコール子機２とを通話可能に接続する第一通話モードを有する。第一通話モードでは、例えば公衆用基地局８を介して電話交換機７を公衆回路網に接続することにより、通信事業者により提供される公衆回線網の通話エリアを病院内の内線エリアとして利用することができ、上記携帯ＩＤを用いて携帯端末５とナースコール子機２間の通話が可能になる。
【００２８】
また、携帯端末５は、病院内に構築されたローカル通信網を介して携帯端末５とナースコール子機２とを通話可能に接続する第二通話モードを有する。第二通話モードでは、ローカル用基地局９を介して無線通信（例えば、WiFi）により電話交換機７と携帯端末５とを接続し、上記携帯ＩＤを用いて携帯端末５とナースコール子機２間の通話が可能になる。
【００２９】
制御部６は、ナースコール制御機６Ａと、ポップアップサーバ６Ｂと、ナースコールサーバ６Ｃとで構成されている。ナースコール制御機６Ａは、ナースコール子機２と各機器間の通信を制御する。ポップアップサーバ６Ｂは、ナースコール子機２から呼び出しされたことを携帯端末５に報知するための着信画面等を生成する。ナースコールサーバ６Ｃは、患者の情報、携帯端末の情報、医療従事者の情報等を含む病院に関する最新の情報を一括して管理する。
【００３０】
電話交換機（例えば、ＰＢＸ：Private Branch eXchange等）７は、ナースコール子機２と携帯端末５との接続や、ナースコール親機４と携帯端末５との接続等を管理するための機器であり、病院内の共用部等に設置されている。公衆用基地局８（８ａ，８ｂ）は、携帯端末５との間で公衆回線（例えば「3G/LTE」）通信を行うためのアンテナである。公衆用基地局８ａは病院内に所定の間隔で設置されている。公衆用基地局８ｂは例えば病院外の場所に設置されている。ローカル用基地局９は、携帯端末５との間でローカル（「WiFi」）通信を行うためのアンテナであり、病院内に所定の間隔で設置されている。
【００３１】
次に、ナースコール制御機６Ａの機能について説明する。
図２に示すように、ナースコール制御機６Ａは、制御機ＣＰＵ６１と、制御機ＣＰＵ６１に接続された記憶部６２、制御機インターフェース回路（以下、インターフェース回路を「Ｉ／Ｆ」と称す）６３とを備えている。
【００３２】
記憶部６２には、患者情報テーブル６２ａと、携帯情報テーブル６２ｂとが設けられている。患者情報テーブル６２ａには、患者の氏名、病室番号、ベッド番号、診療科目、救護区分、担当看護師（看護師ＩＤ）、担当チームの看護師（看護師ＩＤ）、担当医師（医師ＩＤ）等の患者情報がナースコール子機の子機ＩＤと対応付けて記憶されている。携帯情報テーブル６２ｂには、携帯端末５の携帯ＩＤとその端末を携帯する医療従事者の医療従事者ＩＤとが対応付けられた携帯情報が記憶されている。なお、記憶部６２の各情報は、ナースコールサーバ６Ｃから例えば定期的に送信されてきて更新されるように構成されている。
【００３３】
制御機ＣＰＵ６１は、例えば記憶部６２に記憶される情報の送受信等の管理、ナースコール子機２の呼び出しに対するナースコール親機４及び所定の携帯端末５への接続処理等を行う。制御機Ｉ／Ｆ６３は、ＬＡＮ１０との信号伝送路を形成するための通信部を構成している。
【００３４】
次に、ポップアップサーバ６Ｂの機能について説明する。
図３に示すように、ポップアップサーバ６Ｂは、サーバＣＰＵ６５と、サーバＣＰＵ６５に接続された着信画面生成部６６、着信画面記録部６７、接続先情報テーブル６８、サーバＩ／Ｆ６９（送信部の一例）とを備えている。
【００３５】
サーバＣＰＵ６５は、ポップアップサーバ６Ｂの各部を制御する。
着信画面生成部６６は、ナースコール子機２から呼び出されたことを示す着信画面を生成する。着信画面は、患者情報に基づいて特定される所定の携帯端末５の画面５１に表示される。着信画面記録部６７は、着信画面生成部６６で生成された着信画面が記録されている。
【００３６】
接続先情報テーブル６８は、着信画面記録部６７に記録された着信画面に接続するための接続先情報、例えば着信画面にアクセス可能となるＵＲＬ情報が記憶されている。
サーバＩ／Ｆ６９は、ＬＡＮ１０との信号伝送路を形成するための通信部を構成している。サーバＩ／Ｆ６９は、接続先情報テーブル６８に記憶されている接続先情報（ＵＲＬ）を携帯端末５に向けて送信する。
【００３７】
次に、図１，図４，図５を参照しつつ、ナースコールシステム１の動作を説明する。
＜動作例１：公衆回線網（「3G/LTE」）で通話する場合＞
患者Ｘが、ナースコール子機２の握り子機２２に設けられている呼出ボタンを操作すると、ナースコール子機２から廊下灯３へ呼出信号が送出される。廊下灯３は、呼出ボタンが操作されたナースコール子機２を識別し、識別したナースコール子機２の子機ＩＤを呼出信号に付加する。子機ＩＤ付きの呼出信号は、ＬＡＮ１０を介して、廊下灯３からナースコール制御機６Ａに送信される。
【００３８】
子機ＩＤ付きの呼出信号を受信したナースコール制御機６Ａの制御機ＣＰＵ６１は、付加されている子機ＩＤを読み取り、子機ＩＤと患者情報テーブル６２ａとを照合する。制御機ＣＰＵ６１は、子機ＩＤに関連付けられている医療従事者を特定し、携帯情報テーブル６２ｂを参照して、その医療従事者の携帯ＩＤを照合する。照合された患者情報と携帯ＩＤは、子機ＩＤ付きの呼出信号と共に、ナースコール制御機６Ａからポップアップサーバ６Ｂとナースコール親機４とに送信される。
【００３９】
ポップアップサーバ６Ｂの着信画面生成部６６は、送信されてきた患者情報に基づいて、携帯端末５の画面５１に表示される着信画面（ポップアップ画面）を生成するとともに、その生成された着信画面へアクセスするためのＵＲＬを生成する。生成された着信画面は、着信画面記録部６７に記録される。また、生成されたＵＲＬは、接続先情報テーブル６８に記憶される。また、ポップアップサーバ６ＢのサーバＣＰＵ６５は、送信されてきた携帯ＩＤに基づいて、ナースコールの呼出信号を送信する所定の携帯端末５を特定する。
【００４０】
ポップアップサーバ６ＢのサーバＩ／Ｆ６９は、生成されたＵＲＬが付加された呼出信号を、サーバＣＰＵ６５で特定された所定の携帯端末５へ、電話交換機７とローカル用基地局９を介してWiFiにより送信する。特定される携帯端末５の台数に制限はないが、本例では、患者Ｘを担当する看護師チームの各々の看護師が携帯する５つの携帯端末５（図１参照）にＵＲＬ付きの呼出信号が送信される。なお、ＵＲＬは、例えばＳＩＰプロトコルのＩＮＶＩＴＥ信号からなる呼出信号の拡張ヘッダに付加される。
【００４１】
ＵＲＬ付きの呼出信号を受信した各携帯端末５は、呼出音を鳴動させるとともに、付加されているＵＲＬを基にWiFiによりローカル用基地局９を介してポップアップサーバ６Ｂの着信画面記録部６７にアクセスして情報をリクエストする。これにより、携帯端末５の画面５１には、患者Ｘからナースコールがされていることを知らせる着信画面５２が例えばポップアップ画面として表示される。
【００４２】
図４に着信画面５２の一例を示す。着信画面５２には、タッチ領域として、第一操作部５３と、第二操作部５４とが表示される。上述したように、携帯端末５は、ナースコール子機２と通話する際に、２つの通信方式（「3G/LTE」と「WiFi」）を使用可能である。第一操作部５３をタッチすることにより、通信方式として公衆回線網（「3G/LTE」）を選択することができる。また、第二操作部５４をタッチすることにより、通信方式としてローカル通信網（「WiFi」）を選択することができる。
【００４３】
また、図４に示すように、着信画面５２の患者表示部５５には、ナースコールを行った患者Ｘを特定可能な患者特定情報が表示される。本例では、101号室のベッド番号１に入院する「鈴木太郎」がナースコールを行ったことが特定できる。
【００４４】
さらに、着信画面５２には、3G/LTEの電波状況を表示する第一電波表示部５６と、WiFiの電波状況を表示する第二電波表示部５７が表示される。本例では、3G/LTEの電波状況とWiFiの電波状況とが同等である場合が表示されている。
【００４５】
携帯端末５の呼出音に対して、例えば担当チームの看護師の中の主担当の看護師Ａが最初に着信画面を応答操作したとする。
応答操作の際、看護師Ａは、3G/LTEを使って通話するか、WiFiを使って通話するかを任意に選択することが可能である。本例では3G/LTEが選択される。
看護師Ａが応答操作すると、看護師Ａ以外の看護師が携帯する携帯端末５の呼出音は停止するとともに、それらの着信画面５２は非表示となる。
【００４６】
看護師Ａの応答操作に連動して、看護師Ａの携帯端末５から携帯ＩＤを付加した応答信号が公衆回線網に向けて発信される。公衆用基地局８ｂと公衆用基地局８ａを介して、携帯端末５から発信された携帯ＩＤ付きの応答信号が電話交換機７に送信される。
【００４７】
電話交換機７は、携帯ＩＤ付きの応答信号を識別し、看護師Ａの携帯端末５と患者Ｘが操作したナースコール子機２との通話路を接続する。
これにより、ナースコール子機２と携帯端末５とが3G/LTEを使用して通話することが可能な状態となる。
【００４８】
（変形例）
図５に着信画面５２の別の一例を示す。
図５に示すように、着信画面５２の第一操作部５３Ａと第二操作部５４Ａとは、電波状況に応じて、電波状況の良好な方の通信方式の領域を大きく表示されるようにしても良い。本例では、第一電波表示部５６と第二電波表示部５７とに示されるように、3G/LTEの電波の方が良好な状況であるため、3G/LTEの通信方式を示す第一操作部５３Ａの領域が大きく表示されている。
【００４９】
この場合、操作者である看護師Ａが、いずれかの操作部（第一操作部５３Ａと第二操作部５４Ａ）をタッチ操作して任意に選択し、選択された通信方式で通話されるようにしても良い。あるいは、破線で示されるタッチ領域５８のいずれか一部をタッチすると、電波状況の良好な方の通信方式（本例では3G/LTEの通信方式）が自動的に選択されるようにしても良い。
【００５０】
また、図４及び図５において、患者表示部５５に表示される患者特定情報の内容は、複数の階層に分けて表示することができるようにしても良い。具体的には、図４，図５に示される１階層目において、患者表示部５５上をタッチすることにより、２階層目以降の患者特定情報が表示されるようにしても良い。例えば２階層目以降では、患者の診療科目、救護区分、感染症、転倒転落危険度、担当看護師名、担当医師名、飲物情報、食事制限、住所、電話番号等の情報が表示されるようにしても良い。
【００５１】
＜動作例２：ローカル通信網（「WiFi」）で通話する場合＞
本例の場合も、患者Ｘがナースコール子機２の呼出ボタンを操作して、携帯端末５の画面５１に着信画面５２が表示されるまでは、上記動作例１と同様に動作する。
【００５２】
着信画面５２が表示された際、本例では、担当チームの看護師の中で最初に看護師Ａが、図４に示す着信画面でWiFiを選択して応答したとする。
看護師Ａが応答操作すると、看護師Ａ以外の看護師が携帯する携帯端末５の呼出音は停止するとともに、着信画面５２は非表示となる。
【００５３】
看護師Ａの応答操作に連動して、看護師Ａの携帯端末５から携帯ＩＤを付加した応答信号がローカル通信網に向けて発信される。携帯端末５は、ローカル用基地局９を介してWiFiにより電話交換機７に接続されて、携帯端末５から発信された携帯ＩＤ付きの応答信号が電話交換機７に送信される。
【００５４】
電話交換機７は、携帯ＩＤ付きの応答信号を識別し、看護師Ａの携帯端末５と患者Ｘが操作したナースコール子機２との通話路を接続する。
これにより、ナースコール子機２と携帯端末５とがWiFiを使用して通話することが可能な状態となる。
【００５５】
このような構成のナースコールシステム１によれば、患者からナースコールを受信した際、公衆回線網（3G/LTE）を介して通話するか、ローカル通信網（WiFi）を介して通話するかを携帯端末５において選択可能である。このため、医療従事者は、自身が携帯する携帯端末５の3G/LTEの電波状況とWiFiの電波状況とを考慮して、通話モードを選択することができる。このように、ナースコールシステム１によれば、ナースコール子機２と携帯端末５間における通話品質の改善を支援することができる。
【００５６】
また、例えば自身が携帯する携帯端末５において、3G/LTEの電波状況が良好な場合には、高い通話品質が確保された3G/LTEによる通話モードが自動的に選択されるように設定することも可能である。あるいは、２つの通話モードの電波状況を比較し、良好な方の通話モードが自動的に選択されるように設定することも可能である。このため、さらに通話品質の改善を支援することが可能である。
【００５７】
また、携帯端末５に表示される着信画面５２には、通話モードを選択可能な操作部５３，５４が表示される他、電波状況を表示する電波表示部５６，５７が表示される。このため、医療従事者は、自身が携帯する携帯端末５の電波状況を確認しつつ、着信画面５２の操作部５３，５４をタッチ操作することで通話モードを選択することができる。
【００５８】
ところで、従来、外部の公衆回線網を経由して着信時に表示される着信画面には、ナースコールシステム内で管理される患者情報を表示させることはできなかった。しかし、ナースコールシステム１によれば、着信画面５２は、病院内に構築されたローカル通信網（WiFi）を介して携帯端末５に送信される。このため、病院内に設置された制御部６等で管理される患者情報を用いて患者表示部５５を作成し、その患者表示部５５を着信画面５２内に含めることができる。このため、医療従事者は、携帯端末５に表示される着信画面５２を見て、呼出元の患者の情報を確認した上で、着信に応答することができる。また、２階層目以降にも患者特定情報が表示される構成では、より詳しい患者の情報を確認した上で着信に応答することができる。
【００５９】
また、ナースコール子機２、ナースコール親機４、および携帯端末５の間の通信を制御する機能を有するナースコール制御機６Ａとは別のハードウェア（ポップアップサーバ６Ｂ）に、着信画面生成部６６と着信画面記録部６７とサーバＩ／Ｆ６９とが設けられている。このため、ナースコール制御機６Ａにおけるスペックの限界や設計上の制約を考慮する必要がないので、ポップアップサーバ６Ｂに設けられた機能の設計自由度が向上する。例えば、着信画面５２を送信する先の携帯端末５の台数について、既存のナースコール制御機の制約を受けずに多くの台数を設定することができる。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６１】
上記形態ではナースコール子機２からの呼び出しがあった場合について説明したが、例えばナースコール親機４から携帯端末５が呼び出された場合にも、携帯端末５は、同様に公衆回線網を介して通話するモードとローカル通信網を介して通話するモードを選択可能であっても良い。
【符号の説明】
【００６２】
１：ナースコールシステム１、２：ナースコール子機、４：ナースコール親機、５：携帯端末、６：制御部、６Ａ：ナースコール制御機、６Ｂ：ポップアップサーバ、６Ｃ：ナースコールサーバ、７：電話交換機、８（８ａ，８ｂ）：公衆用基地局、９：ローカル用基地局、５２：着信画面、５３：第一操作部、５４：第二操作部、５５：患者表示部、５６：第一電波表示部、５７：第二電波表示部、６１：制御機ＣＰＵ、６２ａ：患者情報テーブル、６２ｂ：携帯情報テーブル、６５：サーバＣＰＵ、６６：着信画面生成部、６７：着信画面記録部、６８：接続先情報テーブル、６９：サーバＩ／Ｆ（送信部の一例）
【図１】
2018033592.tif 000003
【図２】
2018033592.tif 000004
【図３】
2018033592.tif 000005
【図４】
2018033592.tif 000006
【図５】
2018033592.tif 000007